(57)【要約】【課題】本発明の目的は、金属、陶器、ガラス等の針が立たない硬い材質であって、且つ表面が粗いものであっても使用できるカルコを提供することにある。【解決手段】粘着素材よりなることを特徴とする粘着式カルコとすることで、対象物を傷付けることもなく、且つ金属、陶器、ガラス等の針が立たない硬い材質であって、且つ表面が粗いものであっても使用できるようになった。また、前記粘着素材を容器に収納した粘着式カルコとすることで、使用が便利となる。さらに当該粘着カルコ、墨壺及び墨糸よりなる墨打具とすることで、さらに便利となる。【選択図】図４
2005095987.tif 000002
【特許請求の範囲】
【請求項１】
粘着素材よりなることを特徴とする粘着式カルコ。
【請求項２】
前記粘着素材が容器に収納されていることを特徴とする請求項１記載の粘着式カルコ。
【請求項３】
巻尺先端固定を兼ねることができる請求項１又は２記載の粘着式カルコ。
【請求項４】
請求項１乃至３記載の粘着式カルコ、墨壺及び墨糸よりなる墨打具。
【発明の詳細な説明】
【技術分野】
【０００１】
本発明は、墨付けに使用する粘着式カルコに関するものである。特に金属、陶器、ガラス等に使用できる粘着式カルコに関するものである。
【背景技術】
【０００２】
従来から図１に示す針式カルコを用いる墨打具が広く使用されている。しかし当該墨打具はカルコが針よりなっており、木材等には使用できるものの、金属、陶器、ガラス等の針が立たない硬い材質には使用できない問題があった。また従来のカルコでは対象物を傷付けるという問題があった。かかる問題を解決するために当該カルコが吸盤よりなるものが開示されている（特許文献１参照）。
【特許文献１】特開平２−２７９２８４号公報
【発明の開示】
【発明が解決しようとする課題】
【０００３】
しかし、上記吸盤よりなるカルコであっても、使用の対象となる金属、陶器、ガラス等の表面が粗い場合、吸盤が吸い付かないためにカルコとして固定出来ないというう問題があった。
【０００４】
本発明の目的は、金属、陶器等の針が立たない硬い材質であって、且つ表面が粗いものであっても使用できるカルコを提供することにある。
【課題を解決するための手段】
【０００５】
本発明者は鋭意検討した結果、粘着素材よりなることを特徴とする粘着式カルコとすることで、対象物を傷付けることもなく、且つ金属、陶器、ガラス等の針が立たない硬い材質であって、且つ表面が粗いものであっても使用できるようになった。また、前記粘着素材を容器に収納した粘着式カルコとすることで、使用が便利となる。さらに、巻尺先端固定を兼ねることでカルコ以外の機能を兼ね備えることができる。また、当該粘着カルコ、墨壺及び墨糸よりなる墨打具とすることで、さらに便利となる。
【発明の効果】
【０００６】
本発明は、粘着素材よりなることを特徴とする粘着式カルコとすることで、対象物を傷付けることもなく、且つ金属、陶器、ガラス等の針が立たない硬い材質であって、且つ表面が粗いものであっても使用できる効果がある。
【発明を実施するための最良の形態】
【０００７】
以下、本発明について実施例にて詳細に説明する。但し、本発明は実施例に限定されるものでもない。
【０００８】
本発明の粘着素材を、容器に装着する場合の実施例について図２〜図４に示す。図２は、本発明の粘着式カルコであり、粘着素材１５及び弾性素材１６を容器本体６に装着した粘着式カルコ５を示す。前記容器本体６には上蓋９と下蓋７がヒンジ１３とヒンジ中間部１４を介して連結されている。上蓋９及び下蓋７は、粘着式カルコ５の不使用時における粘着素材１５及び弾性素材１６を保護するため、内部と外界を遮断する役目を果たす。また、ヒンジ１３及びヒンジ中間部１４は上蓋９又は下蓋７の開閉の支点として働き、特にヒンジ中間部１４は、粘着式カルコ５を使用する際、上蓋９又は下蓋７が１８０度以上に開くようにすることで、使用の邪魔にならないようにするものである。
【０００９】
上蓋９及び下蓋７には、それぞれ蓋ロック片１１が付けられており、当該蓋ロック片１
１に設けられた穴と、容器本体６の側面に設けた突起１２とが係合して、粘着式カルコ５の不使用時における蓋をしたとき、上蓋９又は下蓋７を固定することが出来るようになっている。
【００１０】
図３は、粘着素材１５及び弾性素材１６を入れていない容器であって、蓋を開いた状態を示すものであるが、容器本体６の内部は、粘着素材１５を入れる粘着素材収納部１７と弾性素材１６を入れる弾性素材収納部１８よりなる。また、容器本体６には墨糸を固定する墨糸固定片１９が設けられており、当該墨糸固定片１９には、墨糸導入凹部２０が設けられている。墨糸固定片１９及び墨糸導入凹部２０は、墨糸を確実な位置決めを行うことが出来るようにする働きをもつものである。
【００１１】
本発明に使用する容器は、ポリエチレン樹脂、ポリプロピレン樹脂、ナイロン樹脂、ポリアセタール樹脂、アクリル樹脂、スチレン樹脂、ポリエステル樹脂、ＰＥＴ樹脂、ＰＢＴ樹脂等のプラスチックや金属、セラミック、木材等により作製することが出来る。作製の容易性の点で射出成形が容易なプラスチックが好ましい。さらに、ヒンジ機能を利用する点では、ポリプロピレン樹脂がさらに好ましい。
【００１２】
また、粘着素材１５の組成は、自然に存在する粘土やブチルゴム、スチレンブタジエンゴム、イソプレンゴム等の未加硫ゴムよりなり、必要により粘着性を上げるためにワセリン又はタッキロール１０１、タッキロール１３０−Ｇ（以上、田岡化学）、ヒタノ−ル１５０１（日立化成）の商品名で市販されている粘着付与剤を配合することができる。  
【００１３】
弾性素材１６の材質は、墨付具の針式カルコの針が刺せることができ、且つ針式カルコを固定できる物性を持つものであれば使用できる。具体的には塩ビ樹脂を可塑剤でやや柔軟としたものや、軟質ポリエチレン樹脂、ポリエチレン、ポリプロピレン等のエラストマー等が挙げられる。
【００１４】
次に、上記実施例の使用方法について説明する。図４は、粘着式カルコ５の使用時の状態を示すものである。上蓋９の一端には、針式カルコ４の針を挿入する針挿入穴２１が設けられており、当該針挿入穴２１より弾性素材１６に針式カルコ４の針を刺すことができる。針式カルコ４に結ばれている墨糸３は、墨糸固定片１９に設けられた墨糸導入凹部２０を通じて墨壺２に繋がっている。上蓋９の中央に横断する溝１０は、墨糸３を位置決めを行い易くする目印として機能するものである。上記の様に構成された墨付具の使用方法は、対象物の所定の位置に粘着式カルコ５を粘着固定し、墨糸３を墨壺２より引き出し所定の位置に位置付けを行った後、引き出した墨糸３の略中央を指先で摘み上げ、墨糸３を放すことで、所望の墨付けを行う。
【００１５】
また、巻尺の先端固定として兼用使用するときは、巻尺の先端が９０度に折り曲げてあり、その折り曲げで引っ掛けるものや、先端のわっかで引っ掛けるものは、本発明の粘着式カルコ５の墨糸固定片１９に引っ掛けることで、巻尺の先端を固定できる。または、針挿入穴に針を差し立て、当該針に巻尺の先端を固定してもよい。さらに巻尺のベルトを粘着素材１５で上から押さえて固定することもできる。この様にすることで、巻尺の先端の固定が安定するとともに、金属ベルトでできている巻尺の場合に安定して真っ直ぐに設置できる長さの限界を大幅に長くすることができる効果がある。
【００１６】
尚、上記粘着式カルコ５、従来のカルコ４を本発明のカルコにカルコ４の針を利用してカルコ同士を結合させるものであるが、従来のカルコ４を省略して墨糸３を直接粘着式カルコ５に取付けてもよい。この様にすれば、本発明の粘着式カルコを用いた墨付具とすることもできる。
【００１７】
また、容器本体６の内部の粘着素材１５を入れる粘着素材収納部１７と弾性素材１６を入れる弾性素材収納部１８に中敷を設けて、当該粘着素材収納部１７或いは粘着素材収納部１７の中敷の反対裏面側に予備の粘着素材１５或いは弾性素材１６を収納できるようにしてもよい。
【図面の簡単な説明】
【００１８】
【図１】従来の針式カルコを用いた墨付具を示す。
【図２】本発明の粘着式カルコの蓋を蓋を開いてときの側面図を示す。
【図３】本発明の粘着式カルコの蓋を蓋を開いてときの平面図を示す。
【図４】本発明の粘着式カルコの使用時の状態を示す図である。
【符号の説明】
【００１９】
１      従来の墨付具
２      墨壺
３      墨糸
４      針式カルコ
５      粘着式カルコ
６      容器本体
７      下蓋
９      上蓋
１０    溝
１１    蓋ロック片 
１２    突起
１３    ヒンジ
１４    ヒンジ中間部
１５    粘着素材
１６    弾性素材
１７    粘着素材収納部
１８    弾性素材収納部
１９    墨糸固定片
２０    墨糸導入凹部
２１    針挿入穴
【図１】
2005095987.tif 000003
【図２】
2005095987.tif 000004
【図３】
2005095987.tif 000005
【図４】
2005095987.tif 000006